(57)【要約】【課題】候補者選択用紙から候補者の選択肢を選択する電子投票において、当該候補者の公平性を担保し、選択肢の安全性を高めた候補者選択用紙を簡単に作成するための装置、及び、そのソグトウェアを提供する。【解決手段】候補者選択用紙作成装置に、当該選挙に関するデータを入力する手段、各候補者に関するデータを表形式で入力する手段、データに基づいて候補者数を自動計算する手段、パスワードを入力する手段、候補者一人あたりのレイアウトを視覚的に入力する手段、各候補者間の関係レイアウトを視覚的に入力する手段と、データ、パスワードから各候補者の定型文を自動作成する手段、定型文のばらつきを自動補正する手段、補正された定型文からバーコード（選択肢）を自動生成する手段を持たせ、レイアウト情報に基づいて、データ、バーコードを適切に配置して候補者選択用紙のデザインを自動作成する。【選択図】  図１
2004303112.tif 000002
【特許請求の範囲】
【請求項１】
投票を行うために、候補者の選択肢が印刷された候補者選択用紙に対して、当該候補者選択用紙を作成する装置であって、
選挙に関するデータを入力する手段と、
候補者に関するデータを入力する手段と、
パスワードを入力する手段と、
各候補者の定型文を自動作成する手段と
前記各候補者の定型文に基づいて選択肢を自動生成する手段と、
候補者選択用紙のデザインを自動作成する手段と、
候補者一人あたりのレイアウトを視覚的に設定する手段と、
各候補者間の関係レイアウトを視覚的に設定する手段と、
定型文のばらつきを自動補正する手段と
を備えたことを特徴とする候補者選択用紙作成装置。
【請求項２】
請求項１記載の候補者選択用紙作成装置において、前記候補者一人あたりのレイアウトを視覚的に設定する手段は、
視覚的なオブジェクトとして、枠囲み計算、候補者名、ルビ、党派名、選択肢を有し、
前記オブジェクト、及び、その他の任意のオブジェクトの位置やプロパテイを視覚的に変更する手段と、
前記手段によって設定された候補者一人あたりのレイアウト情報を出力する手段とを有することを特徴とする候補者選択用紙作成装置。
【請求項３】
請求項１記載の候補者選択用紙作成装置において、前記各候補者間の関係レイアウトを視覚的に設定する手段は、
視覚的なオブジェクトとして、選挙名印刷領域、選択肢となる候補者全体の印刷領域、候補者数と同数の候補者レイアウト枠を有し、
用紙サイズと候補者の並びに関するデータを設定する手段と、
候補者レイアウト枠を除く前記オブジェクト、及び、その他の任意のオブジェクトの位置やプロパテイを視覚的に変更する手段と、
前記選択肢となる候補者全体の印刷領域の広さに関する設定に基づいて、各候補者のレイアウト枠間の最適な隙間を自動計算し、該計算による隙間に基づいて各候補者レイアウト枠の位置を決定する手段とを有することを特徴とする候補者選択用紙作成装置。
【請求項４】
投票を行うために、候補者の選択肢が印刷された候補者選択用紙に対して、当該候補者選択用紙を作成する装置で実行されるソフトウェアであって、当該装置と協働して、
選挙に関するデータを入力する手段と、
候補者に関するデータを入力する手段と、
パスワードを入力する手段と、
各候補者の定型文を自動作成する手段と
前記各候補者の定型文に基づいて選択肢を自動生成する手段と、
候補者選択用紙のデザインを自動作成する手段と、
候補者一人あたりのレイアウトを視覚的に設定する手段と、
各候補者間の関係レイアウトを視覚的に設定する手段と、
定型文のばらつきを自動補正する手段と
を構成するための処理ステップを備えたことを特徴とする候補者選択用紙作成装置用ソフトウェア。
【請求項５】
請求項４記載の候補者選択用紙作成装置用ソフトウェアにおいて、前記候補者一人あたりのレイアウトを視覚的に設定する手段が、
視覚的なオブジェクトとして、枠囲み計算、候補者名、ルビ、党派名、選択肢を有し、
前記オブジェクト、及び、その他の任意のオブジェクトの位置やプロパテイを視覚的に変更する手段と、
前記手段によって設定された候補者一人あたりのレイアウト情報を出力する手段とを有するよう構成するための処理ステップを備えたことを特徴とする候補者選択用紙作成装置用ソフトウェア。
【請求項６】
請求項４記載の候補者選択用紙作成装置用ソフトウェアにおいて、前記各候補者間の関係レイアウトを視覚的に設定する手段が、
視覚的なオブジェクトとして、選挙名印刷領域、選択肢となる候補者全体の印刷領域、候補者数と同数の候補者レイアウト枠を有し、
用紙サイズと候補者の並びに関するデータを設定する手段と、
候補者レイアウト枠を除く前記オブジェクト、及び、その他の任意のオブジェクトの位置やプロパテイを視覚的に変更する手段と、
前記選択肢となる候補者全体の印刷領域の広さに関する設定に基づいて、各候補者のレイアウト枠間の最適な隙間を自動計算し、該計算による隙間に基づいて各候補者レイアウト枠の位置を決定する手段とを有するよう構成するための処理ステップを備えたことを特徴とする候補者選択用紙作成装置用ソフトウェア。
【発明の詳細な説明】
【０００１】
【発明の属する技術分野】
本発明は，選挙、住民投票、アンケートなど投票の候補となる候補リストの中から選択的に投票を行う投票装置に関連し、該候補リストを作成するための装置に関する。特に、候補リスト上の選択肢の公平性を担保するものに関する。
【０００２】
【従来の技術】
公職選挙では、投票日に、投票所で、投票用紙を用いる投票方法が一般的である。この投票方法については以下のように整理することができる。
・紙質の投票用紙に対して、候補者の氏名を記入し、投票箱に投函する（自書式投票）
・あらかじめ当該選挙の候補者が一覧表示され、各候補者ごとに選択欄がもうけられている紙質の投票用紙に、選択欄に○印などの記号を記入し、投票箱に投函する（記号記入式投票）
・あらかじめ当該選挙の候補者が一覧表示され、各候補者ごとに選択欄がもうけられている紙質の投票用紙に、選択欄を塗りつぶし、投票箱に投函する（マークシート式投票）。
【０００３】
このうち、日本の公職選挙では、自書式投票が多く採用され、記号記入式投票はほんの一部で実施されているのみである。また、マークシート式投票は競馬やくじなどには採用されているが、公職選挙では採用されていない。一方、日本以外の諸外国の選挙では、自書式投票を採用している例はほとんどなく、記号記入式投票やマークシート式投票により実施されている。
【０００４】
ところで、投票日に、投票所で、投票用紙を用いる投票方法には、有権者側からみると以下の問題点が指摘されている。
・投票用紙に候補者名を上手に書くことができずに、投票が無効票として処理される場合がある（判読不可能な票）。
・都合により投票所に出向くことができない。
【０００５】
これらの問題点に対応する制度として、代理投票制度や不在者投票制度があるが、実際には無効票が依然として残ったままであるし、投票率も低下している。
【０００６】
また、選挙管理者側から見ると、次の問題点が指摘されている。投票はできるだけ有効票として処理するようにしなければならないため、その判読や判定に時間を要し、かなりの人数で開票集計作業にあたっても徹夜作業になる。通常、開票事務は応援を要請しており、投票日翌日の業務に差し障りがある。
【０００７】
この問題を解決する技術・装置としては、文字認識機能を搭載した投票用紙読取装置がある。この装置を用いれば、一次的な判読が迅速に行える。ただし、全ての票が正確に識別できるものではないので、あくまでも分類用途である。
【０００８】
以上説明したような公職選挙の従来投票制度の問題を解決する制度として、電子投票制度がある。電子投票制度は、有権者（投票者）が、何らかの手段を用い、直接、電磁的記録媒体に投票内容をデジタル的に記録するものである。日本国内においては、岡山県新見市の市長選挙、市議会議員選挙において、初めて電子投票が執行された。電子投票に関連した従来技術は数多くのものが公知であるが、２００２年６月２３日前後の新聞報道などを参照すれば、その概要を知ることができる。
【０００９】
以下に、一般的な電子投票システムの操作手順を述べる。
（１）投票者は、有効な投票カードを電子投票システムに挿入する。
（２）投票者は、候補者を選択する。
（３）投票者は、表示により投票内容を確認する。
（４）投票者は、確定操作を行う。このとき、電子投票システムは、電磁的記録媒体に投票内容をデジタル的に記録する
（５）投票者に、無効化された投票カードを返却する。
ここで、投票カードは選挙人名簿対照後に投票者に交付されるもので、有効な投票カードには当該選挙の一票の権利データが格納されている。また、無効化された投票カードは投票出口付近にて回収される。
【００１０】
以下に、一般的な電子投票システムについて説明する。タッチパネル式電子投票は、主要なコンポーネント（システム構成要素）を筐体内に一体化したモデルである。主要な構成要素は以下のものからなる。
（ａ）コンピュータシステム
（ｂ）タッチパネル付きディスプレイ
（ｃ）投票カード、及び、投票カード読み書き装置
（ｄ）電磁的記録媒体、及び、電磁的記録媒体読み書き装置
その他に、誘導ランプや状態確認ランプや錠なども具備するのが普通である。タッチパネル式電子投票では、（ｂ）のタッチパネル付きディスプレイを介して、上述の（２）候補者選択、（３）投票内容確認、（４）確定操作を行うものである。
【００１１】
先の岡山県新見市の選挙においてもタッチパネル式電子投票が採用されたが、（２）〜（４）の手段が異なる他の方式がある。以下の表１に各方式を比較整理する。
【００１２】
【表１】
2004303112.tif 000003
【００１３】
上記の表１に示したように、４つの方式には（２）の候補者選択の手段がそれぞれ特徴的であるが、一読すると（２）〜（４）の全てを一箇所で行えるタッチパネル式が便利であるように思われる。しかし、日本の公職選挙では、以下のことを考慮する必要がある。
【００１４】
日本の地方議会議員選挙では、各地方公共団体ごとに定数がある。この定数は人口を基準にして決められている場合が多いため、中核都市で、かつ、区割りがない場合には、定数が４０名以上になる場合もある。当然、当該選挙の候補者数はこれよりも多い。公職選挙の場合、候補者の公平性を担保するという理由からは、選択時の候補者は一覧表示されている状態が望ましいといわれており、実際に投票所に掲出されている氏名等掲示もくじびきによって決められた並び順に従って一覧表示されている。
【００１５】
もし、タッチパネル式を採用した場合、多数の候補者を一覧表示するとなると、投票者が視認できる文字の大きさが必要となるため、かなり大きめのタッチパネル付きディスプレイが必要になる。一方、候補者ボタン式、テンキー式、バーコード式では、ディスプレイを、（３）投票内容確認、用途に利用するため、小さめのもので良い。参考までに表２に用紙やディスプレイの大きさを示す。
【００１６】
【表２】
2004303112.tif 000004
【００１７】
文字の大きさに配慮すると、Ａ４サイズの用紙、または、１５インチのディスプレイで約３０名の候補者を一覧表示することができる。また、Ａ３サイズの用紙、または、２１インチのディスプレイならば約８０名を一覧表示することができる。もし、タッチパネル式で候補者が多数となる選挙に適用するとなると、かなり大型のものとするか、候補者の公平性を主張できる何らかの画面遷移に頼る必要がある。一方、タッチパネル以外の方式は７インチ程度のディスプレイがあれば十分である。
【００１８】
候補者多数の選挙にも配慮して、あらためて各方式を表３に比較整理する。表３に示したとおり、テンキー式が全体的にコンパクトになるが、順序性の意味がある番号を候補者に付与することに対して、別の配慮をしなければならない。バーコード式で用いられるバーコードそのものは、視覚的に論理的な意味合いを識別されない点が公平性の担保という側面で注目に値する。また、タッチパネル式における選択画面遷移やテンキー式は、結局、投票所に掲出される氏名等掲示に頼らざるを得ない。このような視点で考えると、バーコード式電子投票は候補者多数の公職選挙に有効な方法と言える。
【００１９】
【表３】
2004303112.tif 000005
【００２０】
以下では、紙に印刷された候補者選択用紙のバーコードを読みとって、候補者の選択を行うバーコード式電子投票に関連した事項を取り扱うものとする。なお、バーコードには様々なタイプのものがあり、一次元バーコード、２次元コード、及び、これらが発展したコード体系の種別を問うものではない。
【００２１】
バーコード式電子投票に類似した公知例としては、特許文献１（特開２０００−１４９０８１：以下、従来技術１）がある。ただし、従来技術１は公職選挙ではなく、サッカーくじを対象としており、公職選挙の電子投票が具備すべき要件を想定したものとはなっていない。また、候補者多数の課題にも気がついているものではない。さらに、候補者選択用紙を作成、または、印刷するための装置に対する技術開示は見当たらない。
【００２２】
公職選挙の電子投票が具備すべき要件を想定し、かつ、候補者多数の課題に気がついている公知例としては、非特許文献１（平成１４年度電気学会電子・情報・システム部門大会で発表された「候補者多数を考慮した候補者選択式電子投票インタフェース」：以下、従来技術２）がある。しかし、この公知例においても候補者選択用紙のサンプルが例示されているのみであり、候補者選択用紙を作成、または、印刷するための装置に対する技術開示は見当たらない。
【００２３】
一口に候補者選択用紙といっても、そこには少なからず制約が存在する。例えば、下記のようなものがある。
・各候補者名を示す文字の大きさ、フォントは均一でなければならない
・各候補者を選択するバーコードは、均一でなければならない。
・各候補者ごとのレイアウトは均一でなければならない。
・各候補者の間隔は、ある規則に従って均一でなければならない。
・バーコードの大きさは、スキャナが容易に読み取れるものでなければならない。
・各バーコードの間隔は、お互いに干渉しない距離を保たなければならない。
・各バーコードには、当該選挙に共通の意味と、各候補者固有の意味の２つが含まれている必要がある。
【００２４】
また、その他に公職選挙ならではの推奨事項やオプションもある。
・各候補者名は縦書きが望ましい。ただし、横書きでも良い。
・各候補者は罫線枠で囲まれているのが望ましい。ただし、罫線枠がなくても良い。
・できれば、氏名等掲示の並び順と一致することが望ましい。
・バーコードの位置は、候補者名に対して、上・下・右・左のいずれかになる。
・バーコードは選択操作を誘導するために強調されていても良い。
・候補者名とバーコードの間は、罫線で仕切られていないことが望ましい。ただし、仕切られていても良い。
・候補者名にはふりがなをつけるのが望ましい
・将来的には、候補者名の他に候補者の顔写真画像も付け加えられる可能性がある。
・候補者名には、いわゆる外字が使用される場合がある。ただし、ひらがななど簡単な表記で代用される場合もある。
・バーコードや候補者名の色は黒が望ましい。ただし、黒以外の色を用いる可能性もある。
・候補者選択用紙の色は白が望ましい。ただし、白以外の色を用いる可能性もある。
【００２５】
このように、候補者選択用紙を作成する上では、多くの制約・推奨事項・オプションが存在している。従って、候補者が多数の場合のことを考慮すると、候補者選択用紙のレイアウトをある程度自動的に作成するソフトウェア（以下、このソフトウェアを実装しているコンピュータを候補者選択用紙作成装置という）が必要不可欠になる。なお、一般的には候補者選択用紙作成装置は、選挙管理側の担当者が利用するものであり、必ずしもコンピュータの操作に慣れているとは限らない。
【００２６】
【特許文献１】特開２０００−１４９０８１号公報
【非特許文献１】平成１４年度電気学会電子・情報・システム部門大会で発表された「候補者多数を考慮した候補者選択式電子投票インタフェース」
【００２７】
【発明が解決しようとする課題】
本発明が解決しようとする課題は、候補者が多数になる場合のことも考慮して、候補者選択用紙のレイアウトをある程度自動的に作成するソフトウェアを実装しているコンピュータである候補者選択用紙作成装置であって、
・当該装置を利用者（主に選挙管理者）は、候補者などの入力、パラメータの設定、レイアウトが簡単にできること
・候補者の公平性を自動的に担保すること
・市販のバーコード作成ソフトウェアでは、当該選挙を妨害するようなバーコードを容易に生成できないための対策が組み込まれていること
の３条件を満たす装置を提供することにある。
【００２８】
【課題を解決するための手段】
上記課題を解決するため、候補者の選択肢が印刷された候補者選択用紙に対して、当該候補者選択用紙を作成する装置に、選挙に関するデータを入力する手段と、候補者に関するデータを入力する手段と、パスワードを入力する手段と、各候補者の定型文を自動作成する手段と、前記各候補者の定型文に基づいて選択肢を自動生成する手段と、候補者選択用紙のデザインを自動作成する手段と、候補者一人あたりのレイアウトを視覚的に設定する手段と、各候補者間の関係レイアウトを視覚的に設定する手段と、定型文のばらつきを自動補正する手段とを備えた。これにより候補者の公平性を担保した候補者選択用紙を簡単な操作と自動計算により作成できる。
【００２９】
【発明の実施の形態】
以下、本発明の一実施形態を図面を用いて詳細に説明する。なお、以下で用いるバーコードとは、候補者の選択肢を指し、１次元バーコード、２次元コード、または、それらの発展系などを含め、特定の規格を指すものではない。
【００３０】
図６は本実施例の候補者選択用紙作成装置のブロック構成を示す。候補者選択用紙作成装置１０は、ＣＰＵ２、ＣＰＵ２がワーク用に使用するメモリ３、入力機器としてのキーボード４、出力機器としてのディスプレイ５及び印刷装置９、記憶装置７とがバス６で接続された構成となる。記憶装置７には、候補者選択用紙作成用のソフトウェアと、その処理に必要なデータが格納される。ソフトウェアは、ＣＰＵ２に順次読み込まれて解釈実行されることにより、以下で詳細に示す印刷用紙作成のための各機能を果たす。ソフトウェアは通常ＣＤ−ＲＯＭ等の記憶媒体に格納されて頒布される。媒体に格納されたソフトウェアは実行前に媒体リーダライタ８を用いて媒体から読み出され、記憶装置７に格納される。ソフトウェアはインターネット等の通信網を介して受信することもでき、その場合は図示していない通信制御装置がソフトウェアを受信して記憶装置７に格納する。
【００３１】
図１は候補者選択用紙作成用のソフトウェアの機能別構成要件を示したものである。
【００３２】
候補者候補者選択用紙作成装置のソフトウェアの構成要件は、利用者（特に選挙管理者）が入力操作を行うものとして、
（１）当該選挙に関するデータを入力・編集するモジュール１０１
（２）各候補者に関するデータを表形式で入力・編集するモジュール１０２
（３）パスワードを入力するモジュール１０３
（４）候補者１人あたりのレイアウトを視覚的に設定・編集するモジュール１０４
（５）候補者間のレイアウトを視覚的に設定・編集するモジュール１０５
を備える。上記（１）〜（５）の各モジュールはそれぞれのデータを入力するためのガイド画面をディスプレイ５に表示させ、キーボード４から入力されたデータを候補者選択用紙作成用のデータとして取り込み、メモリ３に記憶する等、ハードウェアと協働することで機能を果たす。
【００３３】
また、自動計算処理する機能として、
（６）候補者数を自動計算するモジュール１２１
（７）定型文を自動作成するモジュール１２２
（８）定型文の各候補者間のばらつきを均一に補正するモジュール１２３
（９）均一補正された各候補者ごとの定型文をコード化するモジュール１２４
（１０）候補者選択用紙のデザインを自動作成するモジュール１２５
を有する。（６）〜（１０）の各モジュールは、ＣＰＵ２を、キーボード２やメモリ３等から入手したデータに演算処理を行わせるよう制御することで各機能を果たす。
【００３４】
なお、候補者選択用紙印刷用ソフトウェアの各モジュールを実行するためのベースとなるソフトウェア（呼び出し命令、自動計算処理を実行命令を与える機能、表示機能、印刷機能、ファイル入出力機能などを果たす標準的なソフトウェア）は当然備わっているものとする。
【００３５】
（１）のモジュール１０１は、当該選挙に関するデータを入力するものであり、データ１１１には当該選挙名を必須とし、及び、その他当該選挙に共通な情報をオプションとする。オプションとしては、選挙期日（投票日）、選挙コード、選挙の定数、改定の版数、登録者（入力者）などがある。ここで、必須項目は候補者選択用紙に当該情報が印刷されるものである。オプションは印刷される場合もあるし、印刷されない場合もある。
【００３６】
（２）のモジュール１０２は、当該選挙に立候補している各候補者に関するデータ１１２を表形式で入力するものであり、データには候補者名、ルビ、党派名を必須とし、及び、その他各候補者に関する情報をオプションとする。オプションとしては、年齢、性別、候補者コード、登録者（入力者）などがある。全候補者のデータを入力し終わったとき、（６）の機能によって候補者数１３１を自動計算する。
【００３７】
（３）のモジュール１０３は、パスワード１１３を入力するものである。パスワードは安全なバーコードを生成するために必要となる。
【００３８】
（４）のモジュール１０４は、候補者一人あたりのレイアウト情報１１４を視覚的に設定するするためのものである。これについては、図２を用いて説明する。図２（Ａ）は、ソフトウェアがデフォルトで用意する候補者標準レイアウトである。このレイアウトの構成要素は、候補者名２０１、ルビ２０２、党派名２０３、バーコード２０４、枠囲み罫線２０５からなる。もし、このままのレイアウトを採用するならば、そうでないならば、視覚的に設定を変える。図２には（Ａ）に対するいくつかの設定変更を施したものが示してある。
・（Ｂ）：バーコードを候補者名の下側に配置変更したもの
・（Ｃ）候補者名のフォントを変更したもの
・（Ｄ）：枠囲み罫線の太さを変更したもの
・（Ｅ）：バーコードを丸囲みに変更したもの
・（Ｆ）：バーコードと候補者名との間に仕切り罫線を挿入したもの
・（Ｇ）：バーコード以外の部分の背景を変更したもの
（Ｈ）：候補者名、ルビの文字サイズを変更したもの
（Ｉ）：党派名を候補者名の下側に配置変更したもの
これらの設定変更はマウスなどを用いて行う。図示してはいないが、その他に、バーコードの色を変える
枠囲み罫線の領域を広げる
などを行っても良い。このレイアウト情報１１４は、当該選挙の候補者全てに共通である。
【００３９】
（５）のモジュール１０５は、各候補者間の関係レイアウト情報１１５を視覚的に設定するするためのものである。これについては、図３、４を用いて説明する。図３は、このモジュールのパラメータ設定画面３０１である。この画面の候補者数欄３０２には、自動計算された候補者数１３１が表示され、用紙サイズ欄３０３には、用紙を指定する。段数欄には段数を指定する。この指定に基づき、レイアウト確認画面４０１には、選挙名４０２、候補者全員分のレイアウト枠４０３、候補者印刷エリア４０４が表示される。各候補者間の隙間４０５、４０６は全て均一である。候補者印刷エリア４０４は、位置、広さとも調整を加えることが可能であり、広さの調整に従って隙間４０５、４０６は自動調整されるが、各候補者のレイアウト枠４０３の広さは調整されない。図５にこの調整の意味を図解する。
【００４０】
図５に示すように、
候補者印刷エリア４０４の横の長さＡ、縦の長さＢ
各候補者のレイアウト枠４０３の横の長さａ、縦の長さｂ
各候補者間の縦方向４０５の隙間ｈ１、ｈ２、ｈ３
各候補者間の横方向４０６の隙間ｗ１、ｗ２、ｗ３、ｗ４
候補者数は、縦方向２、横方向３で計６名
のとき、調整機能は、
ｗ＝（Ａ−３ａ）／４
ｈ＝（Ｂ−２ｂ）／３
ｗ１＝ｗ２＝ｗ３＝ｗ４＝ｗ
ｈ１＝ｈ２＝ｈ３＝ｈ
で隙間が決定される。このように、ＡまたはＢのいずれかを変更してもａまたはｂは変化することなく固定で、ｗまたはｈが変化するのみである。もし、ｗまたはｈが負の値になるときはレイアウトとして不合格である。
【００４１】
再び、図１の説明にもどる。（７）の機能１２２は、各候補者のバーコード１３４のもととなる定型文１３２を自動作成するものである。この定型文１３２は、当該選挙に関するデータ１１１、各候補者に関するデータ１１２、及び、パスワード１１３をもとに作成されるものである。定型文の例を以下に示す。
＜定型文＞
＜当該選挙名＞東西市長選挙＜／当該選挙名＞
＜候補者名＞東西太郎＜／候補者名＞
・
・
＜セキュリティ＞Ａｂｃ３５ｊ＜／セキュリティ＞
＜／定型文＞
上記の例で、＜セキュリティ＞の値は、当該選挙名の値、候補者名の値、パスワードの値、などによって計算されるものである。この定型文は、全ての候補者に対して作成される。
【００４２】
（８）の機能１２３は、各候補者の定型文１３２のばらつきを自動補正するものである。補正された各候補者の定型文１３３は、バーコードの視覚的な特性を均一化するという意味で、調整されたものとなっている。調整定型文の例を以下に示す。
【００４３】
＜定型文＞
＜当該選挙名＞東西市長選挙＜／当該選挙名＞
＜候補者名＞東西太郎＜／候補者名＞
・
・
＜セキュリティ＞Ａｂｃ３５ｊ＜／セキュリティ＞
＜調整＞＊＊＊＊＜／調整＞
＜／定型文＞
（９）の機能１２４は、各候補者の調整定型文に基づいてバーコード１３４を自動生成するものである。
【００４４】
（１０）の機能１２５は、候補者選択用紙のデザインを自動作成するものである。候補者選択用紙のデザイン１は、候補者一人あたりのレイアウト情報１１４、各候補者間の関係レイアウト情報１１５に基づいて、当該選挙に関するデータ１１１，各候補者に関するデータ１１２、各候補者のバーコード１３４が適切な位置に適切な大きさ、フォントなどで配置される。
【００４５】
以上、説明したように本発明の装置（ソフトウェア）を用いれば，選挙管理者は、候補者間の公平性が担保され、かつ、バーコードの安全性を高めた候補者選択用紙を簡単に作成することができる。
【００４６】
上記、本発明の実施例においては、日本の公職選挙の制度をもとに、説明してきたが、選択肢の公平性が視覚的に求められるような他の日本の選挙、日本以外の国や地方の選挙、住民投票、アンケートなどにも本発明は有効である。
【００４７】
【発明の効果】
本発明によれば、選挙管理者は、候補者間の公平性が担保され、かつ、バーコードの安全性を高めた候補者選択用紙を簡単に作成することができる。
【図面の簡単な説明】
【図１】実施形態の候補者選択用紙作成装置のソフトウェア構成を示す図。
【図２】候補者一人あたりのレイアウト編集の例を示す図。
【図３】投票者の操作手順を説明するための画面例を示す図。
【図４】投票装置の処理手順を説明するための画面例を示す図。
【図５】候補者選択用紙の表示例を示す図。
【図６】候補者選択用紙作成装置のブロック構成を示す図。
【符号の説明】
１…候補者選択用紙、２…ＣＰＵ、３…メモリ、４…キーボード、５…ディスプレイ、６…バス、７…記憶装置、９…印刷装置、１０…候補者選択用紙作成装置。１１１−当該選挙に関するデータ、１１２−候補者に関するデータ、１１３−パスワード、１１４−候補者一人あたりのレイアウト情報、１１５−各候補者間の関係レイアウト情報、１３１−候補者数、１３２−定型文、１３３−調整された定型文、１３４−バーコード（選択肢）、２０１−候補者名オブジェクト、２０２−ルビオブジェクト、２０３−党派名オブジェクト、２０４−バーコード（選択肢）オブジェクト、２０５−枠囲み罫線オブジェクト、４０２−選挙名オブジェクト、４０３−候補者レイアウト枠オブジェクト、４０４−候補者印刷領域オブジェクト、４０５、４０６−候補者レイアウト枠間の隙間。
【図１】
2004303112.tif 000006
【図２】
2004303112.tif 000007
【図３】
2004303112.tif 000008
【図４】
2004303112.tif 000009
【図５】
2004303112.tif 000010
【図６】
2004303112.tif 000011